(57)【要約】【課題】ＢＯＭを基幹情報とした生産情報システムが整備されていない場合でも、製作品のトレーサビリティ情報を収集できるようにする。【解決手段】購入部品情報入力端末２は、購入部品の注文番号と部品型式識別情報とを取得し、その購入部品のトレーサビリティ情報（製造シリアル番号またはロット番号）を取得し、その取得した購入部品の注文番号と部品型式識別情報とトレーサビリティ情報とを関連付けてデータベースサーバ３に登録する。また、製作品情報入力端末４は、製作品の製作指示番号と部品型式識別情報とを取得し、製作品が製作されるとき、その組付部品が部品棚から取出されるたびに、その取出された組付部品のトレーサビリティ情報を取得し、その製作品の製作指示番号とトレーサビリティ情報とを関連付けてデータベースサーバ３に登録する。【選択図】図３
2007193525.tif 000002
【特許請求の範囲】
【請求項１】
購入部品に係るトレーサビリティ情報を取得する購入部品情報入力端末と、前記購入部品を用いて製作される製作品に係るトレーサビリティ情報を取得する製作品情報入力端末とが、前記購入部品情報入力端末によって取得された購入部品に係るトレーサビリティ情報および前記製作品情報入力端末によって取得された製作品に係るトレーサビリティ情報を記憶するデータベースを備えたデータベースサーバに接続されて構成され、
前記購入部品情報入力端末が、
前記購入部品の購入に係る注文番号と、その購入部品の部品名および型式を特定するための部品型式識別情報とを関連付けて取得し、
前記購入部品に付されたその購入部品の製造シリアル番号およびロット番号の少なくとも一方を取得し、
前記購入部品の部品型式識別情報に応じてあらかじめ定められた管理レベルに基づき、その購入部品に内部ロット番号を付与し、前記購入部品について、前記注文番号と、前記部品型式識別情報と、前記製造シリアル番号および内部ロット番号の少なくとも一方の情報とを関連付けて前記データベースに登録し、
前記製作品情報入力端末が、
前記製作品の製作指示に係る製作指示番号と、その製作品の部品型式識別情報とを関連付けて取得し、
前記製作品が所定の部品棚に配膳された組付部品を用いて製作されるとき、前記組付部品が前記部品棚から取出されるたびに、その取出された組付部品に付されている製造シリアル番号および内部ロット番号の少なくとも一方の情報を取得し、
前記製作品が製作されたとき、前記製作品に製造シリアル番号および内部ロット番号の少なくとも一方の情報を付与し、前記製作品について、前記製作指示番号と、前記製作品の製造シリアル番号および内部ロット番号の少なくとも一方の情報と、前記組付部品の製造シリアル番号および内部ロット番号の少なくとも一方の情報とを関連付けて前記データベースに登録すること
を特徴とするトレーサビリティ情報収集方法。
【請求項２】
前記購入部品情報入力端末は、さらに、
前記製作品についての前記製作指示番号と、前記部品型式識別情報と、前記製造シリアル番号および内部ロット番号の少なくとも一方の情報とを関連付けて前記データベースに登録すること
を特徴とする請求項１に記載のトレーサビリティ情報収集方法。
【請求項３】
前記購入部品情報入力端末は、
前記あらかじめ定められた管理レベルとして少なくとも第１の管理レベルと第２の管理レベルとを有し、前記購入部品に内部ロット番号を付与するに際しては、
前記購入部品の管理レベルが前記第１の管理レベルの場合には、前記購入部品から取得された１のロット番号に対応させて１の内部ロット番号を付与し、
前記購入部品の管理レベルが前記第２の管理レベルの場合には、前記購入部品から取得された複数のロット番号に対応させて１の内部ロット番号を付与すること
を特徴とする請求項１または請求項２に記載のトレーサビリティ情報収集方法。
【請求項４】
購入部品に係るトレーサビリティ情報を取得する購入部品情報入力端末と、前記購入部品を用いて製作される製作品に係るトレーサビリティ情報を取得する製作品情報入力端末と、前記購入部品情報入力端末によって取得された購入部品に係るトレーサビリティ情報および前記製作品情報入力端末によって取得された製作品に係るトレーサビリティ情報を記憶するデータベースを備えたデータベースサーバとが接続されて構成されたトレーサビリティ情報収集システムであって、
前記購入部品情報入力端末が、
前記購入部品の購入に係る注文番号と、その購入部品の部品名および型式を特定するための部品型式識別情報とを関連付けて取得する購入部品情報取得手段と、
前記購入部品に付されたその購入部品の製造シリアル番号およびロット番号の少なくとも一方を取得する購入部品トレーサビリティ情報取得手段と、
前記購入部品の部品型式識別情報に応じてあらかじめ定められた管理レベルに基づき、その購入部品に内部ロット番号を付与し、前記購入部品について、前記注文番号と、前記部品型式識別情報と、前記製造シリアル番号および内部ロット番号の少なくとも一方の情報とを関連付けて前記データベースに登録する購入部品トレーサビリティ情報登録手段と、
を備え、
前記製作品情報入力端末が、
前記製作品の製作指示に係る製作指示番号と、その製作品の部品型式識別情報とを関連付けて取得する製作指示情報取得手段と、
前記製作品が所定の部品棚に配膳された組付部品を用いて製作されるとき、前記組付部品が前記部品棚から取出されるたびに、その取出された組付部品に付されている製造シリアル番号および内部ロット番号の少なくとも一方の情報を取得する組付部品トレーサビリティ情報取得手段と、
前記製作品が製作されたとき、前記製作品に製造シリアル番号および内部ロット番号の少なくとも一方の情報を付与し、前記製作品について、前記製作指示番号と、前記製作品の製造シリアル番号および内部ロット番号の少なくとも一方の情報と、前記組付部品の製造シリアル番号および内部ロット番号の少なくとも一方の情報とを関連付けて前記データベースに登録する製作品トレーサビリティ情報登録手段と、
を備えたこと
を特徴とするトレーサビリティ情報収集システム。
【請求項５】
前記購入部品トレーサビリティ情報登録手段は、さらに、
前記製作品についての前記製作指示番号と、前記部品型式識別情報と、前記製造シリアル番号および内部ロット番号の少なくとも一方の情報とを関連付けて前記データベースに登録すること
を特徴とする請求項４に記載のトレーサビリティ情報収集システム。
【請求項６】
前記購入部品トレーサビリティ情報登録手段は、
前記あらかじめ定められた管理レベルとして少なくとも第１の管理レベルと第２の管理レベルとを有し、前記購入部品に内部ロット番号を付与するに際しては、
前記購入部品の管理レベルが前記第１の管理レベルの場合には、前記購入部品から取得された１のロット番号に対応させて１の内部ロット番号を付与し、
前記購入部品の管理レベルが前記第２の管理レベルの場合には、前記購入部品から取得された複数のロット番号に対応させて１の内部ロット番号を付与すること
を特徴とする請求項４または請求項５に記載のトレーサビリティ情報収集システム。
【請求項７】
購入部品に係るトレーサビリティ情報を取得する購入部品情報入力端末と、前記購入部品を用いて製作される製作品に係るトレーサビリティ情報を取得する製作品情報入力端末と、前記購入部品情報入力端末によって取得された購入部品に係るトレーサビリティ情報および前記製作品情報入力端末によって取得された製作品に係るトレーサビリティ情報を記憶するデータベースを備えたデータベースサーバとが接続されて構成されたトレーサビリティ情報収集システムに用いられる購入部品情報入力端末であって、
前記購入部品の購入に係る注文番号と、その購入部品の部品名および型式を特定するための部品型式識別情報とを関連付けて取得する購入部品情報取得手段と、
前記購入部品に付されたその購入部品の製造シリアル番号およびロット番号の少なくとも一方を取得する購入部品トレーサビリティ情報取得手段と、
前記購入部品の部品型式識別情報に応じてあらかじめ定められた管理レベルに基づき、その購入部品に内部ロット番号を付与し、前記購入部品について、前記注文番号と、前記部品型式識別情報と、前記製造シリアル番号および内部ロット番号の少なくとも一方の情報とを関連付けて前記データベースに登録する購入部品トレーサビリティ情報登録手段と、
を備えたこと
を特徴とする購入部品情報入力端末。
【請求項８】
前記購入部品トレーサビリティ情報登録手段は、さらに、
前記製作品についての製作指示番号と、前記製作品の部品型式識別情報と、前記製作品の製造シリアル番号および内部ロット番号の少なくとも一方の情報とを関連付けて前記データベースに登録すること
を特徴とする請求項７に記載の購入部品情報入力端末。
【請求項９】
前記購入部品トレーサビリティ情報登録手段は、
前記あらかじめ定められた管理レベルとして少なくとも第１の管理レベルと第２の管理レベルとを有し、前記購入部品に内部ロット番号を付与するに際しては、
前記購入部品の管理レベルが前記第１の管理レベルの場合には、前記購入部品から取得された１のロット番号に対応させて１の内部ロット番号を付与し、
前記購入部品の管理レベルが前記第２の管理レベルの場合には、前記購入部品から取得された複数のロット番号に対応させて１の内部ロット番号を付与すること
を特徴とする請求項７または請求項８に記載の購入部品情報入力端末。
【請求項１０】
購入部品に係るトレーサビリティ情報を取得する購入部品情報入力端末と、前記購入部品を用いて製作される製作品に係るトレーサビリティ情報を取得する製作品情報入力端末と、前記購入部品情報入力端末によって取得された購入部品に係るトレーサビリティ情報および前記製作品情報入力端末によって取得された製作品に係るトレーサビリティ情報を記憶するデータベースを備えたデータベースサーバとが接続されて構成されたトレーサビリティ情報収集システムに用いられる製作品情報入力端末であって、
前記製作品の製作指示に係る製作指示番号と、その製作品の部品型式識別情報とを関連付けて取得する製作指示情報取得手段と、
前記製作品が所定の部品棚に配膳された組付部品を用いて製作されるとき、前記組付部品が前記部品棚から取出されるたびに、その取出された組付部品に付されている製造シリアル番号および内部ロット番号の少なくとも一方の情報を取得する組付部品トレーサビリティ情報取得手段と、
前記製作品が製作されたとき、前記製作品に製造シリアル番号および内部ロット番号の少なくとも一方の情報を付与し、前記製作品について、前記製作指示番号と、前記製作品の製造シリアル番号および内部ロット番号の少なくとも一方の情報と、前記組付部品の製造シリアル番号および内部ロット番号の少なくとも一方の情報とを関連付けて前記データベースに登録する製作品トレーサビリティ情報登録手段と、
を備えたこと
を特徴とする製作品情報入力端末。
【発明の詳細な説明】
【技術分野】
【０００１】
本発明は、工業製品を構成する部品のトレーサビリティ情報を収集するためのトレーサビリティ情報収集方法、トレーサビリティ情報収集システム、購入部品情報入力端末および製作品情報入力端末に関する。
【背景技術】
【０００２】
従来、多くの工業製品には、その出所や製造履歴の基礎となる情報として、製品名称、製造メーカ名称、製造シリアル番号またはロット番号などの情報が付されている。なかでも、製造シリアル番号またはロット番号は、その工業製品の製造履歴のトレーサビリティを示す重要な情報である。
【０００３】
近年、工業製品の生産現場においては、コンピュータを利用した情報管理が盛んに行われている。その生産現場において、製造シリアル番号またはロット番号などのトレーサビリティ情報を収集し、管理しようとする場合、その基幹となる情報は、製造される製品の部品表（以下、ＢＯＭ（Bill of Materials）という）であるとされている。一般に、ＢＯＭは、設計部門において作成され、製造工程における製造指示書または作業指示書は、そのＢＯＭに基づき作成される。すなわち、ＢＯＭは、製造指示書または作業指示書と同等の効力を有しており、製造に必要な部品は、ＢＯＭに基づき、購入され、ラインに並べられ、製品として組立てられる。
【０００４】
ところが、製造現場における実際の運用では、このようなＢＯＭと製造指示書または作業指示書との正規の関係がしばしば破られることがある。例えば、ある部品が欠品または製造中止になったような場合、その部品の代わりに機能および性能がほぼ同等の他の部品を使用することがある。このような場合、原則であれば、ＢＯＭを改廃した上で、作業指示書を改廃する必要がある。しかしながら、製造現場では、作業指示書だけを改廃し、ＢＯＭの改廃を行わないことがある。そうした場合には、ＢＯＭを基幹情報に据えた製品のトレーサビリティ管理システムの場合には、その製品またはその製品に使用されている部品のトレーサビリティ情報を正しく収集または管理することができなくなる。
【０００５】
また、特に、中小の製造企業などにおいては、製造する製品の複雑さや生産規模などにもよるが、そもそもＢＯＭを作成することをせず、製造指示書または作業指示書、あるいは、設計図面だけに基づき製品を製造している場合がある。このような製品の製造形態は、多くの分野においてそれを専門とする熟達した技術者が存在する実態があるために可能なのであるが、このような製造形態をとる企業では、前記のＢＯＭを基幹情報に据えた製品のトレーサビリティ管理システムを構築するのは困難である。
【０００６】
元々、ＢＯＭのデータベースを構築するのは、特に、中小の製造企業にとって負担が大きい。また、現実の製造現場を見渡すと、以上のように、ＢＯＭがなくても製品を製造することができ、また、ＢＯＭがあるがために、逆に、正しいトレーサビリティ情報を取得できない場合もある。従って、製造現場の少なくとも一部は、ＢＯＭを使用しないで製品のトレーサビリティ情報を収集するシステムの実現を求めているといってもよい。
【０００７】
特許文献１には、ＢＯＭを使用しないで製品のトレーサビリティ情報を収集するシステムの例が開示されている。その特許文献１によれば、そのトレーサビリティ情報管理データ作成装置は、いわゆる「かんばん」の情報に基づきトレーサビリティ情報を収集する。すなわち、特許文献１のトレーサビリティ情報管理データ作成装置は、製品が通過する工程のかんばんに示されている部品の情報を製品に関連付けて収集することによって、トレーサビリティ情報を収集するとしている。
【特許文献１】特開２００５−３１６８２６号公報
【発明の開示】
【発明が解決しようとする課題】
【０００８】
しかしながら、かんばん方式を用いた製造形態は、どちらかといえば大規模な工場における大量生産に適したものである。従って、ライフサイクルが短い製品を多品種少量生産するような中小の製造企業においては、かんばん方式の生産形態が採られていないことが多い。従って、特許文献１に開示されている技術をそのまま、そのような中小の製造企業に適用することはできない。
【０００９】
本発明の目的は、かんばん方式の製造形態が採られていないような、また、ＢＯＭを基幹情報とした生産情報システムが整備されていないような中小の製造企業においても、製造された製品に用いられている部品の製造シリアル番号やロット番号などのトレーサビリティ情報を収集することが可能なトレーサビリティ情報収集方法、トレーサビリティ情報収集システム、購入部品情報入力端末および製作品情報入力端末を提供することにある。
【課題を解決するための手段】
【００１０】
前記目的を達成するために、本発明においては、購入部品に係るトレーサビリティ情報を取得する購入部品情報入力端末と、前記購入部品を用いて製作される製作品に係るトレーサビリティ情報を取得する製作品情報入力端末とを、前記購入部品情報入力端末によって取得された購入部品に係るトレーサビリティ情報および前記製作品情報入力端末によって取得された製作品に係るトレーサビリティ情報を記憶するデータベースを備えたデータベースサーバに接続してトレーサビリティ情報収集システムを構成した。
【００１１】
そして、そのトレーサビリティ情報収集システムにおいて、前記購入部品情報入力端末は、（１−１）前記購入部品の購入に係る注文番号と、その購入部品の部品名および型式を特定するための部品型式識別情報とを関連付けて取得する購入部品情報取得手段と、（１−２）前記購入部品に付されたその購入部品の製造シリアル番号およびロット番号の少なくとも一方を取得する購入部品トレーサビリティ情報取得手段と、（１−３）前記購入部品の部品型式識別情報に応じてあらかじめ定められた管理レベルに基づき、その購入部品に内部ロット番号を付与し、前記購入部品について、前記注文番号と、前記部品型式識別情報と、前記製造シリアル番号および内部ロット番号の少なくとも一方の情報とを関連付けて前記データベースに登録する購入部品トレーサビリティ情報登録手段と、を備え、
前記製作品情報入力端末は、（２−１）前記製作品の製作指示に係る製作指示番号と、その製作品の部品型式識別情報とを関連付けて取得する製作指示情報取得手段と、（２−２）前記製作品が所定の部品棚に配膳された組付部品を用いて製作されるとき、前記組付部品が前記部品棚から取出されるたびに、その取出された組付部品に付されている製造シリアル番号および内部ロット番号の少なくとも一方の情報を取得する組付部品トレーサビリティ情報取得手段と、（２−３）前記製作品が製作されたとき、前記製作品に製造シリアル番号および内部ロット番号の少なくとも一方の情報を付与し、前記製作品について、前記製作指示番号と、前記製作品の製造シリアル番号および内部ロット番号の少なくとも一方の情報と、前記組付部品の製造シリアル番号および内部ロット番号の少なくとも一方の情報とを関連付けて前記データベースに登録する製作品トレーサビリティ情報登録手段と、を備えたことを特徴とする。
【００１２】
本発明によれば、購入部品情報入力端末は、購入部品が納入されたときに、購入部品トレーサビリティ情報取得手段により、その購入部品について製造シリアル番号およびロット番号の少なくとも一方を取得する。そして、その購入部品は、購入部品トレーサビリティ情報登録手段により、そのロット番号と対応付けられた内部ロット番号が付され、組付部品として製作現場の部品棚に配膳さる。すなわち、このとき、製作現場の部品棚に配膳された組付部品については、すべて製造シリアル番号および内部ロット番号の少なくとも一方が付されていることになる。次に、製作品情報入力端末は、部品棚から組付部品を取出すたびに、その組付部品に付されている製造シリアル番号および内部ロット番号の少なくとも一方の情報を取得する。従って、製作品情報入力端末は、製作品に組付けられたすべての部品について、その製造シリアル番号および内部ロット番号の少なくとも一方の情報を得ることができる。
【発明の効果】
【００１３】
本発明によれば、かんばん方式の製造形態が採られていないような、また、ＢＯＭを基幹情報とした生産情報システムが整備されていないような中小の製造企業においても、製造された製品に用いられている部品の製造シリアル番号やロット番号などのトレーサビリティ情報を収集することができるようになる。
【発明を実施するための最良の形態】
【００１４】
以下、本発明の実施形態について、適宜、図１〜図９を参照しながら詳細に説明する。
【００１５】
（製品製作の業務フロー）
まず、図１および図２を参照しながら、製品製作工場における製品製作の業務フローについて説明する。ここで、図１は、製品製作工場における部品および製作品に係る物流の一態様を示した図、図２は、製品製作工場における業務フローの例を示した図である。なお、ここでは、主として、人の行為や物の流れについて説明する。
【００１６】
製品を製作するには、まず、注文伝票に基づき、必要な部品を購入する。その部品が納入されると、納品の検収担当者は、購入伝票１０１に基づき、購入部品を受け入れるとともに（ステップＳ１０）、受入れ検査を実施する（ステップＳ１１）。受入れ検査では、最低でも、納入された部品と注文した部品とを比較して、その名称、型式、員数が一致しているかを検査する。また、検収担当者は、受入れ検査に合格した購入部品について、その収納ケースまたは部品そのものに付されているロット番号または製造シリアル番号を、バーコードリーダなどを用いて取得し（ステップＳ１２）、その部品を収納した収納ケースを部品倉庫１１０に入庫し（ステップＳ１３）、所定の棚などに収納して保管する。
【００１７】
次に、部品の配膳担当者は、配膳指示書１０２に従って、部品倉庫１１０の収納ケースから指示された部品を小分けなどして取出し、搬送ケースなどに詰替える（ステップＳ２０）。そのとき、先にステップＳ１２で取得したその部品のロット番号のバーコードラベルを作成し、そのバーコードラベルをその搬送ケースに添付する（ステップＳ２１）。そして、配膳担当者は、その部品を詰めた搬送ケースを運搬カート１５１，１５３などに積載して、製作ショップ１２０，１３０まで運搬し（ステップＳ２２）、運搬した部品を通常は部品ケースに収納したまま部品棚１２１，１３１の所定の位置に配膳する（ステップＳ２３）。
【００１８】
なお、配膳指示書により半製品を部品として配膳することが指示されていた場合には、配膳担当者は、前記と同様に、半製品倉庫１４０から半製品を取出し、その取出した半製品を、運搬カート１５４などに積載して製作ショップ１３０へ運搬し（ステップＳ２２）、部品棚１３１の所定の位置に配膳する（ステップＳ２３）。
【００１９】
次に、所定の部品が製作ショップ１２０，１３０の部品棚１２１，１３１に配膳されると、製作担当者は、製作指示書１０３に従って、製品または半製品（以下、まとめて製作品という）の製作を開始する。まず、製作担当者は、部品棚１２１，１３１から製作品として必要な組付部品を取出す（ステップＳ３０）。ここで、組付部品とは、製作品を組立てていく（組付けていく）上で必要な部品をいい、言い換えれば、製作品を構成する部品である。
【００２０】
この組付部品を取出すとき、先にステップＳ２１で搬送ケースに添付したバーコードラベルまたはその部品自体に貼付されているバーコードラベルなどから、その組付部品に付されているロット番号または製造シリアル番号を読取る（ステップＳ３１）。そして、その読取ったロット番号または製造シリアル番号を、その製作品に付与されたロット番号または製造シリアル番号に関連付け（ステップＳ３２）、関連付けたそれらの情報を所定のデータベースに登録する。そして、製作担当者は、ステップＳ３０で取出した組付部品を製作品に組付け（ステップＳ３３）、製作品を製作する。
【００２１】
製作担当者は、これらステップＳ３０〜ステップＳ３３を、製作指示書１０３で指示されたすべての組付部品の組付けが完了するまで（ステップＳ３４でＮｏ）繰り返し実行する。また、組付部品の組付けが完了すると（ステップＳ３４でＹｅｓ）、製作担当者は、以上のようにして製作した製品を製作品払出棚１２２，１３２へ払出す（ステップＳ３５）。なお、このとき、製作ショップ１２０，１３０で製作された製作品は、製作ショップ１２０の製作品払出棚１２２に示されているように半製品であることもある。
【００２２】
図２では、これ以降の業務フローの記載を省略しているが、この業務フローに引き続き、配膳担当者は、製作品払出棚１２２，１３２に払い出されている製品または半製品を運搬カート１５２，１５５などに積載して回収し、回収した製品または半製品を半製品倉庫１４０または完成品倉庫１５０に収納する。また、完成品倉庫に収納された製品は、出荷検査などの工程を経て適宜出荷される。
【００２３】
なお、以上に示した図１および図２の説明において、運搬カート１５１〜１５５は、自動搬送車や搬送ロボットであってもよく、配膳担当者は、ハンドラやアームなどを有するロボットであってもよい。また、製作担当者の業務の一部または全部を、ハンドラやアームなどを有するロボットなどが行ってもよい。また、図１では、製作ショップ１２０，１３０は、いわゆるセル生産方式におけるセルショップであるように記載されているが、セルショップに限らず、流れ作業のラインにおける所定の区間の工程であってもよい。
【００２４】
（システムの構成）
図３は、本発明の実施形態に係るトレーサビリティ情報収集システムの構成の例を示した図である。図３に示すように、トレーサビリティ情報収集システム１は、購入部品情報入力端末２と、製作品情報入力端末４とが、通信ネットワーク５を介して、供給部品や製作品のトレーサビリティ情報に係るデータベースを管理するデータベースサーバ３に接続されて構成される。
【００２５】
購入部品情報入力端末２は、図示しないＣＰＵ（Central Processing Unit）、ＲＡＭ（Random Access Memory）などの主メモリ、ハードディスク装置などからなる情報処理部２１に、キーボード２２、ＬＣＤ（Liquid Crystal Display）などの表示装置２３、バーコードリーダ２４、バーコードプリンタ２５などが接続されて構成される。そして、情報処理部２１は、購入部品情報取得部２１１、購入部品トレーサビリティ情報取得部２１２、購入部品トレーサビリティ情報登録部２１３などの機能ブロックを含んで構成される。これらの機能ブロック２１１，２１２，２１３の機能の詳細については後記するが、その機能は、前記ＣＰＵが前記主メモリにロードされている所定のプログラムを実行することによって実現される。
【００２６】
同様に、製作品情報入力端末４は、図示しないＣＰＵ、ＲＡＭなどの主メモリ、ハードディスク装置などからなる情報処理部４１に、キーボード４２、ＬＣＤなどの表示装置４３、バーコードリーダ４４、バーコードプリンタ４５などが接続されて構成される。そして、情報処理部４１は、製作指示情報取得部４１１、組付部品トレーサビリティ情報取得部４１２、製作品トレーサビリティ情報登録部４１３などの機能ブロックを含んで構成される。これらの機能ブロック４１１，４１２，４１３の機能の詳細については後記するが、その機能は、前記ＣＰＵが前記主メモリにロードされている所定のプログラムを実行することによって実現される。
【００２７】
また、データベースサーバ３は、図示しないＣＰＵ、ＲＡＭなどの主メモリ、ハードディスク装置などからなる情報処理部を含んで構成される。そして、そのハードディスク装置には、購入部品情報記憶部３１、トレースレベル情報記憶部３２、製作指示情報記憶部３３、購入部品トレーサビリティ情報記憶部３４、製作品トレーサビリティ情報記憶部３５などからなるデータベースが構成されている。また、主メモリには、一般的なデータベース管理プログラムがロードされ、前記ＣＰＵがそのデータベース管理プログラムを実行することによって、前記データベースを管理する。
【００２８】
また、通信ネットワーク５は、例えば、イーサネット（登録商標）などを用いて構成された工場内のＬＡＮ（Local Area Network）などであり、その通信ネットワーク５には、購入部品情報入力端末２、製作品情報入力端末４、データベースサーバ３などが接続されるほか、他のシステムに係る情報処理装置が接続されてもよい。
【００２９】
（データベースサーバに記憶される情報の構成）
図４は、本実施形態に係るデータベースサーバ３の購入部品情報記憶部３１における購入部品情報の構成の例を示した図である。図４に示すように、購入部品情報は、注文番号、部品型式ＩＤ、部品名、取引先、メーカ、メーカ型式、注文員数、納期、納入員数、納入日などのフィールドを含んで構成される。これらのフィールドに記憶される情報は、主として、購入伝票または購入伝票に付属する納品書に記載されている情報に基づき入力される。そして、これらのフィールドの情報が意味するものは、“部品型式ＩＤ”を除き、いずれも通常用いられる意味と同じなのでその説明を省略する。
【００３０】
なお、“部品型式ＩＤ”は、部品名および部品型式を特定するための識別情報であり、本実施形態のトレーサビリティ情報収集システム１を適用する製造工場や製造企業で、独自に、ユニークな番号として採番した番号である。このとき、部品型式ＩＤには、部品が同じ部品名および同じ部品型式であっても、適用する製作品によって異なる番号または符号を採番してもよい。すなわち、部品が同じ部品名および同じ部品型式であっても、製品Ａに適用するときの部品型式ＩＤと、製品Ｂに適用するときの部品型式ＩＤとが異なっていても構わない。
【００３１】
図５は、本実施形態に係るデータベースサーバ３のトレースレベル情報記憶部３２におけるトレースレベル情報の構成の例を示した図である。図５に示すように、トレースレベル情報は、部品型式ＩＤ、トレースレベルなどのフィールドを含んで構成される。ここで、トレースレベルとは、部品を管理するレベルを意味し、本実施形態では、トレースレベルを次のように定める。
【００３２】
トレースレベルの“１”は、部品を１個ごとに識別して管理することを意味する。すなわち、トレースレベルが“１”の部品には、１個ごとにシリアル番号を付して管理する。そのシリアル番号としては、部品の製造メーカで付番された製造シリアル番号をそのまま利用してもよく、トレーサビリティ情報収集システム１を適用する範囲でユニークな内部シリアル番号を付番してもよい。
【００３３】
トレースレベルの“２”は、トレーサビリティ情報収集システム１における部品の１つの内部ロット番号を、製造メーカで付した１つのロット番号に対応付けて管理することを意味する。従って、トレースレベルが“２”の部品を購入したとき、その購入部品のロットに製造メーカで付した複数のロット番号の部品が混在していた場合には、その購入部品をそれぞれの製造メーカで付したロット番号ごとに分別し、その分別した購入部品に対し各々異なる内部ロット番号を付す。
【００３４】
トレースレベルの“３”は、トレーサビリティ情報収集システム１における部品の１つの内部ロット番号を、製造メーカで付した複数のロット番号に対応付けて管理することを意味する。従って、トレースレベルが“３”の部品を購入したとき、その購入部品のロットに製造メーカで付した複数のロット番号の部品が混在していた場合には、その購入部品を分別することはせず、その購入部品に対して、その購入部品のロットに含まれていた製造メーカで付した複数のロット番号を対応付けた１つの内部ロット番号を付番して管理する。
【００３５】
トレースレベルの“４”は、トレーサビリティ情報収集システム１における部品の内部ロット番号を、製造メーカで付した複数のロット番号に対応付けることなく管理することを意味する。従って、トレースレベルが“４”の部品を購入したときには、その購入部品については、製造メーカで付したロット番号があるか否かに関わらず、ロット番号の調査を行わない。
【００３６】
なお、以上のトレースレベルは、図５に示したように、部品型式ＩＤに関連付けて定められるので、同じ部品名かつ同じ部品型式の部品であっても、例えば、適用する製作品が異なる場合には、異なるトレースレベルの部品として管理することができる。
【００３７】
図６は、本実施形態に係るデータベースサーバ３の製作指示情報記憶部３３における製作指示情報の構成の例を示した図である。図６に示すように、製作指示情報は、製作指示番号、部品型式ＩＤ、製作品名、製作指示員数、製作実績員数、製作完了日などのフィールドを含んで構成される。
【００３８】
ここで、製作指示番号は、製作ショップ１２０，１３０の製作担当者に対する製作指示書１０３の識別情報である。部品型式ＩＤは、その製作指示番号の製作指示書１０３に基づき製作される製作品の識別情報、製作品名は、その製作される製作品の名称である。また、製作指示員数、製作実績員数および製作完了日は、これらの用語が通常意味する通りのものを意味する。
【００３９】
なお、図６における部品型式ＩＤは、本来なら、製作品型式ＩＤと呼んだほうがよい。しかしながら、製作指示書１０３によって製作される製作品は、半製品であることもあり、その場合には、製作品は、部品として取り扱われる。そこで、本実施形態では、製作品も、その名称および型式を部品型式ＩＤで識別するものとし、型式ＩＤという呼称を使用しなかった。
【００４０】
図７は、本実施形態に係るデータベースサーバ３の購入部品トレーサビリティ情報記憶部３４における購入部品トレーサビリティ情報の構成の例を示した図である。図７に示すように、購入部品トレーサビリティ情報は、内部ロット番号、注文番号または製作指示番号、詳細情報格納アドレスなどのフィールドを含んで構成される。また、購入部品トレーサビリティ情報記憶部３４は、購入部品トレーサビリティ情報についての詳細情報、つまり、購入部品のロット番号または製造シリアル番号を記憶する詳細情報領域を備える。
【００４１】
ここで、内部ロット番号は、基本的には、１つの注文番号に対応する購入部品の１ロット、または、製作指示番号に対応する製作品の１ロットに対して付番される。従って、１つの注文番号または製作指示番号は、基本的には、１つの内部ロット番号に対応付けられる。ただし、トレースレベルの定義から、トレースレベルが“２”の部品であって、購入部品に複数のロット番号の部品が混在する場合には、１つの注文番号に複数の内部ロット番号が対応付けられる。なお、本明細書において、単に「ロット番号」という場合には、「製造メーカで付番したロット番号」を意味する。
【００４２】
また、図７において、内部ロット番号には、詳細情報格納アドレスが対応付けられている。ここで、詳細情報格納アドレスは、詳細情報領域を指し示すアドレスを意味する。そして、その詳細情報格納アドレスが指し示す詳細情報領域には、データ数とそのデータ数分の詳細情報、つまり、ロット番号または製造シリアル番号が格納される。
【００４３】
なお、この詳細情報領域に格納されるロット番号または製造シリアル番号は、前記の内部ロット番号に対応する注文番号の購入伝票１０１によって購入された部品に付されていたロット番号もしくは製造シリアル番号、または、前記の内部ロット番号に対応する製作指示番号の製作指示書１０３によって製作された製作品に付されたロット番号もしくは製造シリアル番号である。
【００４４】
図８は、本実施形態に係るデータベースサーバ３の製作品トレーサビリティ情報記憶部３５における製作品トレーサビリティ情報の構成の例を示した図である。図８に示すように、製作品トレーサビリティ情報は、製作品ロット番号または製造シリアル番号、製作指示番号、詳細情報格納アドレスなどのフィールドを含んで構成される。また、製作品トレーサビリティ情報記憶部３５は、製作品トレーサビリティ情報についての詳細情報、つまり、製作品の内部ロット番号または製造シリアル番号を記憶する詳細情報領域を備える。
【００４５】
ここで、製作品ロット番号または製造シリアル番号は、それに対応する製作指示番号の製作指示書１０３によって製作された製作品に付番されたロット番号または製造シリアル番号である。また、詳細情報格納アドレスは、詳細情報領域を指し示すアドレスを意味する。そして、その詳細情報格納アドレスが指し示す詳細情報領域には、データ数とそのデータ数分の詳細情報、つまり、内部ロット番号または製造シリアル番号が格納される。
【００４６】
このとき、この詳細情報領域に格納される内部ロット番号または製造シリアル番号は、前記の製作指示番号の製作指示書１０３によって製作された製作品に使用された部品の内部ロット番号または製造シリアル番号である。従って、以上のような製作品トレーサビリティ情報があれば、製作品を構成する部品のロット番号または製造シリアル番号を知ることができる。
【００４７】
なお、この製作品トレーサビリティ情報における詳細情報は、その製作品のトレースレベルが“１”の場合には、製作品１個ごとに作成され、トレースレベルが“１”でない場合には、製作指示されたロット（通常、製作指示書１０３の１枚に対応する）ごとに作成される。
【００４８】
（購入部品情報入力端末における処理フロー）
図９は、本実施形態に係る購入部品情報入力端末２の情報処理部２１が購入部品受入れ時に実行する処理の処理フローの例を示した図である。また、図１０は、購入部品情報入力端末２の情報処理部２１が図９の処理フローを実行するときに表示装置２３に表示する表示画面の例を示した図である。
【００４９】
図９に示すように、購入部品情報入力端末２の情報処理部２１は、まず、表示装置２３に購入部品受入れを行うための表示画面を表示する（ステップＳ４０）。その表示画面の例は、図１０に示す通りであるが、その初期画面では、入力ボックス（横長四角の枠内）は、すべて空白である。
【００５０】
次に、情報処理部２１は、購入部品の購入伝票１０１に付されている注文番号を入力する（ステップＳ４１）。その入力は、キーボード２２またはバーコードリーダ２４を介して行われる。すなわち、情報処理部２１は、検収担当者がキーボード２２からキーインする注文番号を読取ってもよく、あるいは、購入伝票１０１または購入部品の収納ケースなどに注文番号などの情報を含んだバーコードラベルが貼付されている場合には、バーコードリーダ２４によってそのバーコードラベルから注文番号を読取ってもよい。以上、ステップＳ４１が実行されると、図１０の表示画面において、注文番号の入力ボックスにその入力された注文番号が表示される。
【００５１】
次に、情報処理部２１は、購入伝票１０１により購入した購入部品の購入部品情報を取得し、表示装置２３の表示画面に表示する（ステップＳ４２）。ここで、情報処理部２１は、検収担当者がキーボードなどから入力する情報に基づき、購入部品情報を取得する。ただし、注文部品情報が注文伝票発行時などにすでに入力され、例えば、その注文部品情報がデータベースサーバ３の注文部品情報記憶部（図３に図示せず）などに登録されている場合には、注文部品情報と購入部品情報とは通常同じなので、情報処理部２１は、注文番号をキーとしてその注文部品情報記憶部を参照することによって、注文部品情報つまり購入部品情報を取得することができる。
【００５２】
以上、ステップＳ４２が実行されると、図１０の表示画面において、購入部品情報の項目（部品型式ＩＤ、部品名、注文員数、納期、取引先、メーカ、メーカ型式）のそれぞれの入力ボックスには、注文部品情報記憶部などから取得された購入部品情報が表示される。ただし、注文部品情報に基づき購入部品情報を取得した場合であって、その注文部品情報と購入部品情報とに相異があった場合には、適宜、検収担当者がキーボードなどから入力する情報に基づき修正する。
【００５３】
次に、情報処理部２１は、購入部品の納入員数と納入日との情報を入力する（ステップＳ４３）。すなわち、情報処理部２１は、購入部品を検収した結果に基づき検収担当者がキーボード２２などからキーインする納入員数と納入日との情報を読取る。
【００５４】
以上、ステップＳ４３が実行されると、図１０の表示画面において、検収内容の納入員数および納入日の入力ボックスそれぞれには、入力された納入員数および納入日の情報が表示される。
【００５５】
また、情報処理部２１は、ステップＳ４３までの処理を実行すると、そのとき注文番号の入力ボックスに表示されている注文番号の購入部品に対する購入部品情報（図４参照）をすべて取得したことになるので、この時点で、その取得した購入部品情報を購入部品情報記憶部３１に登録する（図示省略）。
【００５６】
次に、情報処理部２１は、当該購入部品のトレースレベル情報を取得する（ステップＳ４４）。このとき、トレースレベル情報記憶部３２には、部品型式ＩＤに関連付けたトレースレベル情報が設定されているものとする。従って、情報処理部２１は、部品型式ＩＤの入力ボックスに表示されている部品型式ＩＤをキーにしてトレースレベル情報記憶部３２を参照することにより、トレースレベル情報を取得することができる。
【００５７】
次に、情報処理部２１は、当該購入部品に対して、あらかじめ定められた規則に従って内部ロット番号を採番する（ステップＳ４５）。ここで、あらかじめ定められた規則とは、本実施形態のトレーサビリティ情報収集システム１を適用する範囲内でユニークな番号を採番する規則であれば、どのようなルールであってもよい。
【００５８】
次に、情報処理部２１は、当該購入部品のトレーサビリティ情報の詳細情報、つまり、購入部品のロット番号または製造シリアル番号を格納する領域を指し示す詳細情報格納アドレスを取得する（ステップＳ４６）。なお、詳細情報格納アドレスとしては、通常、詳細情報領域の空領域（データ未格納領域）の先頭アドレスが選ばれる。
【００５９】
以上、ステップＳ４４〜ステップＳ４６の処理により、購入部品トレーサビリティ情報（図７参照）の各フィールドの情報が得られたことになるので、それらを購入部品トレーサビリティ情報記憶部３４に登録する（図示省略）。
【００６０】
次に、情報処理部２１は、当該購入部品のトレースレベルが“１”であるか否かを判定する（ステップＳ４７）。そして、そのトレースレベルが“１”であった場合には（ステップＳ４７でＹｅｓ）、その購入部品そのものに付されている製造シリアル番号を入力し（ステップＳ４８）、その入力した製造シリアル番号を詳細情報領域に格納する（ステップＳ４９）。なお、ステップＳ４８では、情報処理部２１は、キーボード２２またはバーコードリーダ２４を介して製造シリアル番号を取得する。すなわち、情報処理部２１は、検収担当者がキーボード２２からキーインする製造シリアル番号を読取ってもよく、あるいは、購入部品そのものに製造シリアル番号を含んだバーコードラベルが貼付されている場合には、バーコードリーダ２４によってそのバーコードラベルから製造シリアル番号を読取ってもよい。
【００６１】
次に、情報処理部２１は、当該購入部品すべてについて製造シリアル番号の入力が完了したか否かを判定し（ステップＳ５０）、入力が完了していない場合には（ステップＳ５０でＮｏ）、ステップＳ４８とステップＳ４９とを繰り返す。また、入力が完了した場合には（ステップＳ５０でＹｅｓ）、詳細情報領域への製造シリアル番号の格納が完了したことになるので、購入部品受入れ時の処理を終了する。
【００６２】
また、ステップＳ４７で当該購入部品のトレースレベルが“１”でなかった場合には（ステップＳ４７でＮｏ）、情報処理部２１は、さらに、そのトレースレベルが“２”または“３”であるかを判定する（ステップＳ５１）。そして、そのトレースレベルが“２”または“３”であった場合には（ステップＳ５１でＹｅｓ）、その購入部品に付されているロット番号を入力し（ステップＳ５２）、その入力したロット番号を詳細情報領域に格納する（ステップＳ５３）。なお、ステップＳ５２では、情報処理部２１は、キーボード２２またはバーコードリーダ２４を介してロット番号を入力する。すなわち、情報処理部２１は、検収担当者がキーボード２２からキーインするロット番号を読取ってもよく、あるいは、購入部品そのものにロット番号を含んだバーコードラベルが貼付されている場合には、バーコードリーダ２４によってそのバーコードラベルからロット番号を読取ってもよい。
【００６３】
次に、情報処理部２１は、当該購入部品すべてについてロット番号の入力が完了したか否かを判定し（ステップＳ５４）、入力が完了していない場合には（ステップＳ５４でＮｏ）、ステップＳ５２とステップＳ５３とを繰り返す。また、入力が完了した場合には（ステップＳ５４でＹｅｓ）、詳細情報領域へのロット番号の格納が完了したことになるので、購入部品受入れ時の処理を終了する。
【００６４】
また、ステップＳ５１で当該購入部品のトレースレベルが“２”でも“３”でもなかった場合には（ステップＳ５１でＮｏ）、トレースレベルは“４”であることになるが、この場合には、詳細情報領域には何も格納せずに、そのまま購入部品受入れ時の処理を終了する。
【００６５】
（製作品情報入力端末における処理フロー）
図１１は、本実施形態に係る製作品情報入力端末４の情報処理部４１が製作品製作時に実行する処理の処理フローの例を示した図である。また、図１２は、製作品情報入力端末４の情報処理部４１が図１１の処理フローを実行するときに表示装置４３に表示する表示画面の例を示した図である。ただし、図１１に示す処理フローは、説明が煩雑になるのを避けるために、製作品のトレースレベルは“１”で、製作品に組付けられる部品のトレースレベルは“２”，“３”または“４”であるとする。
【００６６】
図１１に示すように、製作品情報入力端末４の情報処理部４１は、まず、表示装置４３に製作品製作時の表示画面を表示する（ステップＳ６０）。その表示画面の例は、図１２に示す通りであるが、その初期画面では、入力ボックス（横長四角の枠内）は、すべて空白である。
【００６７】
次に、情報処理部４１は、製作品の製作指示書１０３に付されている製作指示番号を入力する（ステップＳ６１）。その入力は、キーボード４２またはバーコードリーダ４４を介して行われる。すなわち、情報処理部４１は、製作担当者がキーボード４２からキーインする製作指示番号を読取ってもよく、あるいは、製作指示書１０３に製作指示番号のバーコードが印刷されている場合には、バーコードリーダ４４によってそのバーコードから製作指示番号を読取ってもよい。以上、ステップＳ６１が実行されると、図１２の表示画面において、製作指示番号の入力ボックスにその入力された製作指示番号が表示される。
【００６８】
次に、情報処理部４１は、入力された製作指示番号に基づき、その製作指示が新規製作指示であるか否かを判定する（ステップＳ６２）。そして、その製作指示が新規製作指示であった場合には（ステップＳ６２でＹｅｓ）、製作指示書１０３に示されている製作指示情報を入力し、それを表示装置４３の表示画面に表示する（ステップＳ６３）。なお、情報処理部４１は、製作担当者がキーインする情報をキーボード４２から読取ることによって、製作指示情報を入力してもよく、また、フレキシブルディスクなどの可搬情報記憶媒体に記憶された製作指示情報を、フレキシブルディスク装置などその読取装置を介して読取ることによって入力してもよい。
【００６９】
次に、情報処理部４１は、製作しようとしている製作品に対して、あらかじめ定められた規則に従って製造シリアル番号を採番する（ステップＳ６４）。このとき、製造シリアル番号としては、本実施形態のトレーサビリティ情報収集システム１を適用する範囲内でユニークな番号を採番する。
【００７０】
ここまでの処理により、図１２の表示画面において、製作指示情報の部品型式ＩＤ、製作品名、製作員数、製作品製造シリアル番号など情報がその入力ボックスに表示される。また、図１２において、製作着手日時や製作ショップの情報は、製作担当者によって、キーボード４２から入力される情報を表示するようにしてもよく、また、製作品情報入力端末４に内蔵されるカレンダや製作ショップ情報記憶部（図３に図示せず）から取得した情報を表示するようにしてもよい。また、完成員数は、製作が終わった製作品の数をカウントするカウンタの内容を表示するようにしてもよい。
【００７１】
次に、製作担当者は、製作指示書１０３に添付された設計図面などに従って部品棚から製作品に取り付ける組付部品を取出し、その取出した組付部品を互いに組付けて製作品を製作する。その際、製作担当者は、その取出した取付部品またはその取付部品の搬送ケース（収納ケースを兼ねる）にバーコードリーダ４４をかざす。すなわち、情報処理部４１は、バーコードリーダ４４を介して組付部品のロット番号を取得する（ステップＳ６６）。そして、その取得した組付部品のロット番号を表示装置４３の表示画面の組付ロット情報の領域に表示する。なお、このとき得られるロット番号は、内部ロット番号である。
【００７２】
次に、情報処理部４１は、例えば、製作担当者がキーボード４２などから入力する情報に基づき、組付が完了したか否かを判定する（ステップＳ６７）。その結果、組付が完了したと判定されなかった場合には（ステップＳ６７でＮｏ）、ステップＳ６６を繰り返し実行する。また、組付が完了したと判定された場合には（ステップＳ６７でＹｅｓ）、製作品の製作が終了したことになる。
【００７３】
そこで、製作品の製作が終了した場合には、情報処理部４１は、表示装置４３の表示画面にメッセージを表示するなどして、製作担当者に対し、ここまでのステップで入力したデータについてそのデータを訂正する必要があるか否かを問合わせる。そして、製作担当者は、その問合せに応じてキーボード４２などからデータ訂正があるか否かの応答情報を入力する。そこで、情報処理部４１は、その応答情報を読取って、その応答情報がデータ訂正ありを意味するものであるか否かを判定する（ステップＳ６８）。
【００７４】
その結果、その応答情報がデータ訂正ありを意味するものでなかった場合には（ステップＳ６８でＮｏ）、情報処理部４１は、当該製作品に組付けられた組付部品のロット情報を製作品トレーサビリティ情報記憶部３５に登録する（ステップＳ７２）。なお、その登録処理においては、図８に示したように、当該製作品の製造シリアル番号を製作品トレーサビリティ情報の「製作品ロット情報または製造シリアル番号」のフィールドに格納し、当該製作品の製作指示番号を「製作指示番号」のフィールドに格納し、さらに、詳細アドレス領域の空領域を指し示す詳細情報格納アドレスを「詳細情報格納アドレス」のフィールドに格納する。そして、その詳細情報格納アドレスが指し示す詳細領域に取付部品のロット番号を格納する（ただし、その先頭にロット番号の数を格納する）。
【００７５】
次に、情報処理部４１は、バーコードプリンタ４５によって当該製作品の製造シリアル番号のバーコードをバーコードラベルなどに印刷し（ステップＳ７３）、製作品情報入力端末４における処理を終了する。なお、このときプリントされたバーコードラベルは、適宜、当該製作品に貼付される。
【００７６】
また、ステップＳ６２において、製作指示が新規製作指示でなかった場合には（ステップＳ６２でＮｏ）、情報処理部４１は、キーボード４２を介して製作担当者によって入力された情報に基づき、その製作指示が組付追加であるか否かを判定する（ステップＳ６５）。そして、その判定の結果、その製作指示が組付追加であった場合には（ステップＳ６５でＹｅｓ）、ステップＳ６６以降の処理を実行する。また、その製作指示が組付追加でなかった場合には（ステップＳ６５でＮｏ）、ステップＳ６８以降の処理を実行する。
【００７７】
また、ステップＳ６８において、製作担当者が入力する応答情報がデータ訂正ありを意味するものであった場合には（ステップＳ６８でＹｅｓ）、情報処理部４１は、キーボード４２を介して製作担当者によって入力される情報に基づき、訂正するデータを指定する（ステップＳ６９）。そして、情報処理部４１は、バーコードリーダ４４を介して訂正するデータに係る組付部品のバーコードラベルから、その組付部品のロット番号を取得する（ステップＳ７０）。
【００７８】
そして、情報処理部４１は、キーボード４２を介して製作担当者によって入力される情報に基づき、訂正終了か否かを判定する（ステップＳ７１）。その判定の結果、訂正終了でなかった場合には（ステップＳ７１でＮｏ）、ステップＳ６９へ戻り、ステップＳ６９以降の処理を実行する。また、訂正終了であった場合には（ステップＳ７１でＹｅｓ）、製作品の製作がデータの訂正も含め終了したことになるので、情報処理部４１は、ステップＳ７２およびステップＳ７３の処理を実行し、その後、製作品情報入力端末４における処理を終了する。
【００７９】
なお、図１１に示した処理フローは、製作品のトレースレベルが“１”で、製作品に組付けられる部品のトレースレベルが“２”，“３”または“４”であるとしたが、製作品に組付けられる部品のトレースレベルが“１”であるものも含む場合には、基本的には、図１１で示した処理フローと同じでよい。相違点は、ステップＳ６６およびステップＳ７０においては、ロット番号だけでなく、製造シリアル番号も取得されることがあること、ステップＳ７２において、組付部品のロット番号または製造シリアル番号が製作品トレーサビリティ情報記憶部３５へ登録されることなどである。
【００８０】
また、製作品のトレースレベルが“２”，“３”または“４”である場合にも、同様の処理フローを作成することができ、組付部品のロット番号を製作品のロット番号に関連付けた情報を、製作品トレーサビリティ情報記憶部３５へ登録することができる。
【００８１】
いずれにせよ、本実施形態によれば、購入伝票１０１に記載されている情報と、簡単な製作指示書１０３に示されている製作指示情報とがあれば、製作担当者が組付部品を製作品に組付けるときに、その組付部品から組付部品に付されているロット番号または製造シリアル番号を取得することによって、その製作品に係るトレーサビリティ情報を収集することができる。すなわち、本実施形態によれば、かんばん方式の製造形態が採られていなくても、また、ＢＯＭを基幹情報とした生産情報システムが整備されていない場合であっても、製作品に係る製造シリアル番号やロット番号などのトレーサビリティ情報を収集することができる。
【００８２】
（実施形態の変形例）
以上に説明した実施形態においては、部品や製作品には製造シリアル番号やロット番号の情報を含んだバーコードラベルが添付または貼付されているとしたが、バーコードラベルに代えてＲＦＩＤ（Radio Frequency Identification）タグが添付または貼付されていてもよい。この場合には、購入部品情報入力端末２は、バーコードリーダ２４およびバーコードプリンタ２５に代えて、ＲＦＩＤタグリーダ・ライタを備える。また、また、製作品情報入力端末４も、バーコードリーダ４４およびバーコードプリンタ４５に代えて、ＲＦＩＤタグリーダ・ライタを備える。
【００８３】
また、本実施形態においては、データベースサーバ３は、購入部品情報入力端末２および製作品情報入力端末４から独立した情報処理装置としているが、データベースサーバ３が、購入部品情報入力端末２または製作品情報入力端末４のいずれかに含まれる構成であってもよい。
【図面の簡単な説明】
【００８４】
【図１】製品製作工場における部品および製作品に係る物流の一態様を示した図である。
【図２】製品製作工場における業務フローの例を示した図である。
【図３】本発明の実施形態に係るトレーサビリティ情報収集システムの構成の例を示した図である。
【図４】本実施形態に係るデータベースサーバの購入部品情報記憶部における購入部品情報の構成の例を示した図である。
【図５】本実施形態に係るデータベースサーバのトレースレベル情報記憶部におけるトレースレベル情報の構成の例を示した図である。
【図６】本実施形態に係るデータベースサーバの製作指示情報記憶部における製作指示情報の構成の例を示した図である。
【図７】本実施形態に係るデータベースサーバの購入部品トレーサビリティ情報記憶部における購入部品トレーサビリティ情報の構成の例を示した図である。
【図８】本実施形態に係るデータベースサーバの製作品トレーサビリティ情報記憶部における製作品トレーサビリティ情報の構成の例を示した図である。
【図９】本実施形態に係る購入部品情報入力端末の情報処理部が購入部品受入れ時に実行する処理の処理フローの例を示した図である。
【図１０】本実施形態に係る購入部品情報入力端末の情報処理部が図９の処理フローを実行するときに表示装置に表示する表示画面の例を示した図である。
【図１１】本実施形態に係る製作品情報入力端末の情報処理部が製作品製作時に実行する処理の処理フローの例を示した図である。
【図１２】本実施形態に係る製作品情報入力端末の情報処理部が図１１の処理フローを実行するときに表示装置に表示する表示画面の例を示した図である。
【符号の説明】
【００８５】
１      トレーサビリティ情報収集システム
２      購入部品情報入力端末
３      データベースサーバ
４      製作品情報入力端末
５      通信ネットワーク
２１，４１    情報処理部
２２，４２    キーボード
２３，４３    表示装置
２４，４４    バーコードリーダ
２５，４５    バーコードプリンタ
３１    購入部品情報記憶部
３２    トレースレベル情報記憶部
３３    製作指示情報記憶部
３４    購入部品トレーサビリティ情報記憶部
３５    製作品トレーサビリティ情報記憶部
１０１  購入伝票
１０２  配膳指示書
１０３  製作指示書
１１０  部品倉庫
１２０，１３０  製作ショップ
１２１，１３１  部品棚
１２２，１３２  製作品払出棚
１４０  半製品倉庫
１５０  完成品倉庫
１５１，１５２，１５３，１５４，１５５  運搬カート
２１１  購入部品情報取得部
２１２  購入部品トレーサビリティ情報取得部
２１３  購入部品トレーサビリティ情報登録部
４１１  製作指示情報取得部
４１２  組付部品トレーサビリティ情報取得部
４１３  製作品トレーサビリティ情報登録部
【図１】
2007193525.tif 000003
【図２】
2007193525.tif 000004
【図３】
2007193525.tif 000005
【図４】
2007193525.tif 000006
【図５】
2007193525.tif 000007
【図６】
2007193525.tif 000008
【図７】
2007193525.tif 000009
【図８】
2007193525.tif 000010
【図９】
2007193525.tif 000011
【図１０】
2007193525.tif 000012
【図１１】
2007193525.tif 000013
【図１２】
2007193525.tif 000014